(57)【要約】【課題】電源ケーブルを端子台へ接続する必要が生じたときには、電源ケーブルからコンセントプラグを容易に取り外して電源ケーブルを端子台に接続することを可能にする。【解決手段】コンセントプラグ１は、複数のプラグピン２，３，４と、これら複数のプラグピンをインサート成形により一体的に組み付けて成形したモールド部５と、を備えていて、電源ケーブル１０１の先端部に取り付けられて使用される。モールド部５は、電源ケーブル１０１の接続端子１０５，１０６，１０７を挿入することによりこれら接続端子をプラグピン２，３，４の端子接続部２ａ，３ａ，４ａ上に重ね合わせる端子収納部１２，１３，１４と、これら端子収納部に上記接続端子１０５，１０６，１０７を挿入する開口部１５と、上記端子収納部において上記電源ケーブルの接続端子を上記プラグピンの端子接続部に連結するネジ２２，２３，２４を螺合するネジ穴３２，３３，３４と、を備えている。【選択図】図４
2009163996.tif 000002
【特許請求の範囲】
【請求項１】
複数のプラグピンと、これら複数のプラグピンをインサート成形により一体的に組み付けたモールド部と、を備え、
上記モールド部は、電源ケーブルの接続端子を挿入することにより該接続端子を上記プラグピンの端子接続部上に重ね合わせる端子収納部と、該端子収納部に上記接続端子を挿入する開口部と、上記端子収納部において上記電源ケーブルの接続端子を上記プラグピンの端子接続部に連結するネジを螺合するネジ穴と、を備えていることを特徴とする電源ケーブルのコンセントプラグ。
【請求項２】
上記プラグピンは、上記モールド部に埋め込まれている端子接続部に上記ネジ穴に重なる第１のネジ受け孔を備え、
上記ケーブルの接続端子は、上記第１のネジ受け孔に重なる第２のネジ受け孔を備え、
上記モールド部は、内端が上記第２のネジ受け孔に重なり、外端がモールド部外面に開口する第３のネジ受け孔を備えていることを特徴とする請求項１に記載の電源ケーブルのコンセントプラグ。
【請求項３】
上記第３のネジ受け孔には、上記ネジ穴に螺合されたネジの頭部を覆い隠す絶縁キャップが着脱可能に取り付けられていることを特徴とする請求項２に記載の電源ケーブルのコンセントプラグ。
【発明の詳細な説明】
【技術分野】
【０００１】
本発明は、電気機器に電源電流を供給する電源ケーブルのコンセントプラグに関するものである。
【背景技術】
【０００２】
電源ケーブルのコンセントプラグは、複数のプラグピンと、これら複数のプラグピンをインサート成形したモールド部と、を備えている。従来の電源ケーブルのコンセントプラグは、専ら電気機器のコンセントに抜き差しすることを目的とし、コンセントプラグを電源ケーブルから取り外して電源ケーブルをコンセントプラグに接続する場合を考慮する必要性は乏しいものとして、コンセントプラグは電源ケーブルの先端部に一体不可分、すなわち着脱不能に設けられている。（例えば、特許文献１参照）
【特許文献１】特開２０００−１６４３０６
【発明の開示】
【発明が解決しようとする課題】
【０００３】
このため、上記電源ケーブルを端子台に接続する必要が生じた場合には、電源ケーブルからコンセントプラグを切断し、電源ケーブルの先端部に丸型圧着端子等を取り付ける等して端子台に接続しなければならないため次に述べるような問題点があった。
（１）電源ケーブルを加工するための加工工程が必要となりコストが増大する。また電源ケーブル加工時に加工内容を確認するための図面等が必要になる場合がある。
（２）端子台に接続する加工が容易にできない場合には、電源ケーブルを再注文しなければならない場合がある。
【０００４】
本発明の目的は、電源ケーブルへの着脱を容易に行うことができ、従って、電源ケーブルを端子台へ接続する必要が生じたときには、電源ケーブルから容易に取り外して電源ケーブルを端子台に接続することを可能にした電源ケーブルのコンセントプラグを提供することにある。
【課題を解決するための手段】
【０００５】
請求項１の発明は、複数のプラグピンと、これら複数のプラグピンをインサート成形により一体的に組み付けて成形したモールド部と、を備え、電源ケーブルの先端部に取り付けられて使用されるコンセントプラグにおいて
上記モールド部に、電源ケーブルの接続端子を挿入することにより該接続端子を上記プラグピンの端子接続部（ケーブル接続部）上に重ね合わせる端子収納部と、該端子収納部に上記接続端子を挿入する開口部と、上記端子収納部において上記電源ケーブルの接続端子を上記プラグピンの端子接続部に連結するネジを螺合するネジ穴と、を設けた。
【０００６】
請求項２の発明は、請求項１の電源ケーブルのコンセントプラグにおいて、上記プラグピンに、上記モールド部に埋め込まれている部分に上記ネジ穴に重なる第１のネジ受け孔を設け、上記ケーブルの接続端子に、上記第１のネジ受け孔に重なる第２のネジ受け孔を設け、上記モールド部に、内端が上記第２のネジ受け孔に重なり、外端がモールド部外面に開口する第３のネジ受け孔と、を設けた。
【０００７】
請求項３の発明は、請求項２の電源ケーブルのコンセントプラグにおいて、上記第３のネジ受け孔に、上記ネジを上記ネジ穴に螺合された上記ネジの頭部を覆い隠す絶縁キャップを着脱可能に取り付けた。
【発明の効果】
【０００８】
（１）請求項１の電源ケーブルのコンセントプラグは、モールド部の開口部から端子収納部に電源ケーブルの接続端子を挿入し、該接続端子をプラグピンの端子接続部上に重ね合わせてネジ螺合部にネジを螺合することにより電源ケーブルの接続端子をプラグピンの端子接続部に接続することができる。また、上記ネジを外してコンセントプラグを引き抜けば、コンセントプラグは電源ケーブルから取り外されて電源ケーブルの接続端子は露出した状態になるので、これを端子台へ容易に接続することができる。
（２）請求項２の電源ケーブルのコンセントプラグは、モールド部の端子収納部に電源ケーブルの接続端子を挿入すれば、該接続端子に設けた第２のネジ受け孔がプラグピンの第１のネジ受け孔に重なるので、ネジをモールド部に設けた第３のネジ受け孔、接続端子に設けた第２のネジ受け孔、プラグピンに設けた第１のネジ受け孔を介して（通して）モールド部に設けたネジ穴に螺合することにより、電源ケーブルの接続端子を簡単かつ容易にプラグピンの端子接続部に接続することができる。
（３）請求項３の電源ケーブルのコンセントプラグは、上記第３のネジ受け孔の開口部に絶縁キャップを着脱可能に取り付けて上記ネジの頭部を覆い隠したので上記ネジが金属等の導電性素材で作られたものであっても安全性を確保することができる。
【発明を実施するための最良の形態】
【０００９】
図１は電源ケーブル１０１に取り付けた単相用のコンセントプラグ１の平面図、図２は底面図、図３は電源ケーブル１０１からコンセントプラグ１を取り外した状態の平面図、図４は要部の断面図、図５はコンセントプラグ１の断面図、図６〜図９は電源ケーブル１０１へのコンセントプラグ１の組付工程図である。
【００１０】
図１〜図３に示すように、コンセントプラグ１は、Ｇ，Ｕ，Ｖ極の３つのプラグピン２，３，４と、これらのプラグピン２，３，４をインサート成形したモールド部５と、を備えている。
【００１１】
図４,図５に示すように、モールド部５は、電源ケーブル１０１の各線１０２，１０３，１０４の接続端子１０５，１０６，１０７(図３参照）を上記プラグピン２，３，４の端子接続部（ケーブル接続部）２ａ，３ａ，４ａ上に重ね合わせた状態で収容する端子収納部１２，１３，１４と、これら端子収納部１２，１３，１４に上記接続端子１０５，１０６，１０７を挿入する開口部１５と、上記端子収納部１２，１３，１４において上記電源ケーブル１０１の接続端子１０５，１０６，１０７を上記プラグピン２，３，４の端子接続部２ａ，３ａ，４ａに連結するネジ２２，２３，２４を螺合するネジ穴３２，３３，３４と、を備えている。
【００１２】
図６，図７に示すように、上記端子接続部２ａ，３ａ，４ａには上記ネジ穴３２，３３，３４に連なる第１のネジ受け孔４１が設けられている。電源ケーブル１０１の接続端子１０５，１０６，１０７には、上記第１のネジ受け孔４１に連なる第２のネジ受け孔４２が設けられている。また、モールド部５には、内端が上記第２のネジ受け孔４２に連なり、外端がモールド部外面に開口する第３のネジ受け孔４３が設けられている。
【００１３】
図４に示すように、第３のネジ受け孔４３には絶縁キャップ４４が着脱可能に取り付けられる。絶縁キャップ４４は、第３のネジ受け孔４３と略同径に形成された小径部４５と、第３のネジ受け孔４３よりも大径に形成されたフランジ部４６と、を備えている。上記絶縁キャップ４４は、取り付けた時にフランジ部４６がモールド部５の外面に当接して必要以上に第３のネジ受け孔４３内に入り込まないようになっているとともに、コンセントプラグ１からの取り外しをフランジ部４６によって容易に行うことが可能になっている。
【００１４】
次に、コンセントプラグ１を電源ケーブル１０１に取り付ける方法を図６〜図９を参照して説明する。
【００１５】
先ず、図６に示すように、電源ケーブル１０１の接続端子１０５，１０６，１０７の先端を上記開口部１５からモールド部５内に差し込んで、これら接続端子１０５，１０６，１０７の先端を端子収納部１２，１３，１４の入口に位置させる。そして、図７に示すように、電源ケーブル１０１の設けた線収束部１０８の先端部１０９を上記コンセントプラグ１の開口部１５内に挿入すると、上記接続端子１０５，１０６，１０７は、端子収納部１２，１３，１４内に押し込まれた状態になって、これら接続端子１０５，１０６，１０７の第２のネジ受け孔４２がプラグピン２，３，４の端子接続部２ａ，３ａ，４ａの第１のネジ受け孔４１に連なった（重なった）状態になる。
【００１６】
そこで、図８に示すように、ネジ２２を第３のネジ受け孔４３から挿入して先端部を上記ネジ穴３２に螺合して締め付ければ、ネジ２２の頭部２２ａで電源ケーブル１０１の接続端子１０５は、プラグピン２の端子接続部２ａに押し付けられて、電源ケーブル１０１の接続端子１０５とプラグピン２の端子接続部２ａは接続される。同様にして、ネジ２３で電源ケーブル１０１の接続端子１０６とプラグピン３の端子接続部３ａは接続され、ネジ２４で電源ケーブル１０１の接続端子１０７とプラグピン４の端子接続部４ａは接続される。
【００１７】
そして、図９に示すように、上記第３のネジ受け孔４３に絶縁キャップ４４を着脱可能に取り付けて、ネジの頭部を覆い隠すことにより、ネジが金属等の導電性素材で作られたものであっても安全性を確保する。なお、図示は省略したが、コンセントプラグ１には電源ケーブル係止部が設けられていて、電源ケーブル１０１の収束部１０８の先端部１０９を上記コンセントプラグ１の開口部１５内に挿入したときに、上記電源ケーブル係止部が電源ケーブル１０１に係合して、コンセントプラグ１は電源ケーブル１０１から容易に脱落することのないようになっている。
【００１８】
また、逆に、電源ケーブル１０１からコンセントプラグ１を取り外す作業は次の順序で行われる。先ず、絶縁キャップ４４を取り外して、ネジ２２，２３，２４をネジ穴３２，３３，３４から抜き出して、電源ケーブル１０１の接続端子１０５〜１０７とプラグピン２〜４の端子接続部２ａ〜４ａの接続を解除した状態にする。そして、上記電源ケーブル係止部による電源ケーブル１０１とコンセントプラグ１の係合を解除して、コンセントプラグ１を電源ケーブル１０１から引き抜けば、図３に示すように電源ケーブル１０１の接続端子１０５，１０６，１０７が露出する。従って、これら接続端子１０５，１０６，１０７を端子台等に容易に接続することが可能になる。
【図面の簡単な説明】
【００１９】
【図１】コンセントプラグの使用状態の平面図。
【図２】コンセントプラグの使用状態の底面図。
【図３】電源ケーブルからコンセントプラグを取り外した状態の平面図。
【図４】コンセントプラグの使用状態の要部の断面図。
【図５】コンセントプラグの要部の断面図。
【図６】電源ケーブルへのコンセントプラグの組付工程図。
【図７】電源ケーブルへのコンセントプラグの組付工程図。
【図８】電源ケーブルへのコンセントプラグの組付工程図。
【図９】電源ケーブルへのコンセントプラグの組付工程図。
【符号の説明】
【００２０】
１…コンセントプラグ、２，３，４…プラグピン、２ａ，３ａ，４ａ…端子接続部（ケーブル接続部）、５…モールド部、１２，１３，１４…端子収納部、１５…開口部、２２，２３，２４…ネジ、３２，３３，３４…ネジ穴、４１…第１のネジ受け孔、４２…第２のネジ受け孔、４３…第３のネジ受け孔、４４…絶縁キャップ、４５…小径部、４５…フランジ部、１０１…電源ケーブル、１０５，１０６，１０７…接続端子。
【図１】
2009163996.tif 000003
【図２】
2009163996.tif 000004
【図３】
2009163996.tif 000005
【図４】
2009163996.tif 000006
【図５】
2009163996.tif 000007
【図６】
2009163996.tif 000008
【図７】
2009163996.tif 000009
【図８】
2009163996.tif 000010
【図９】
2009163996.tif 000011